(57)【要約】  各巻線（２〜４ｂ）と鎖交する主磁束（ΦH）を案内する閉じた主磁気回路（５ａ〜５ｊ）内に配置された少なくとも２個の巻線（２〜４ｂ）と、主磁束（ΦH）ではなく漏れ磁束（ΦS）を案内することができるよう巻線（２〜４ｂ）間に配置されており２個の空隙（Ｅ〜Ｊ）を以て主磁気回路から隔たっている１個又は複数個の漏れ磁界案内部材（６ａ〜８ｃ）と、を備える誘導部品（１ａ〜１ｅ）であって、主磁気回路（５ａ〜５ｊ）、漏れ磁界案内部材（６ａ〜８ｃ）又はその双方が磁気等方的な素材で形成されている誘導部品を提供する。更に、そのチョーク（１ａ〜１ｅ）内で発生する漏れ磁束（ΦS）を案内すべく漏れ磁界案内部材（６ａ〜８ｃ）を備えたチョーク（１ａ〜１ｅ）をＰＦＣ（力率補正）チョークとして使用する方法を提供する。
2014535172.tif 000002
【特許請求の範囲】
【請求項１】
各巻線（２〜４ｂ）と鎖交する主磁束（ΦH）を案内する閉じた主磁気回路（５ａ〜５ｊ）内に、その主磁気回路（５ａ〜５ｊ）を構成する中心シャンク及び少なくとも１個の外シャンクのうち中心シャンク沿いに並ぶよう配置された少なくとも２個の巻線（２〜４ｂ）と、
主磁束（ΦH）ではなく漏れ磁束（ΦS）を案内することができるよう巻線（２〜４ｂ）間に配置されており、中心シャンク側空隙（Ｅ，Ｇ，Ｉ）及び外シャンク側空隙（Ｆ，Ｈ，Ｊ）を併せ２個の空隙（Ｅ〜Ｊ）を以て主磁気回路から隔たっている１個又は複数個の漏れ磁界案内部材（６ａ〜８ｃ）と、
を備える誘導部品（１ａ〜１ｅ）であって、
主磁気回路（５ａ〜５ｊ）、漏れ磁界案内部材（６ａ〜８ｃ）又はその双方が磁気等方的な素材で形成されていることを特徴とする誘導部品。
【請求項２】
請求項１記載の誘導部品（１ａ〜１ｅ）であって、その主磁気回路が、中空空間内を通るピンを有する中空体として形成され、そのピンが中心シャンクとして使用されることを特徴とする誘導部品。
【請求項３】
請求項２記載の誘導部品（１ａ〜１ｅ）であって、その漏れ磁界案内部材（６ａ〜８ｃ）が環状の構成であることを特徴とする誘導部品。
【請求項４】
請求項２又は３記載の誘導部品（１ａ〜１ｅ）であって、主磁気回路、漏れ磁界案内部材（６ａ〜８ｃ）及び巻線のうち１個又は複数個が回転対称な構成であることを特徴とする誘導部品。
【請求項５】
請求項１乃至４のうちいずれか一項記載の誘導部品（１ａ〜１ｅ）であって、その漏れ磁界案内部材（６ａ〜８ｃ）及び巻線（２〜４ｂ）が軸方向に沿い交互に配置されていることを特徴とする誘導部品。
【請求項６】
請求項５記載の誘導部品（１ａ〜１ｅ）であって、その巻線（２〜４ｂ）が、軸投射方向に沿い漏れ磁界案内部材（６ａ〜８ａ）よりも張り出していることを特徴とする誘導部品。
【請求項７】
請求項１乃至６のうちいずれか一項記載の誘導部品（１ａ〜１ｅ）であって、その巻線（２〜４ｂ）のうち１個が２部分に分割されており、それらの部分（３ａ，３ｂ，４ａ，４ｂ）が、他の巻線（２，３）及び漏れ磁界案内部材（６ａ〜８ｃ）で形成される積層体の各端部に位置することを特徴とする誘導部品。
【請求項８】
請求項１乃至７のうちいずれか一項記載の誘導部品（１ａ〜１ｅ）であって、その漏れ磁界案内部材（６ａ〜８ｃ）が、漏れ磁束（ΦS）をラジアル方向に案内する構成であることを特徴とする誘導部品。
【請求項９】
請求項１乃至８のうちいずれか一項記載載の誘導部品（１ａ〜１ｅ）であって、その漏れ磁界案内部材（６ａ〜８ｃ）が別体の部品として構成されていることを特徴とする誘導部品。
【請求項１０】
請求項１乃至９のうちいずれか一項記載の誘導部品（１ａ〜１ｅ）であって、その漏れ磁界案内部材（６ａ〜８ｃ）が複数個の環状セグメント（６ｂ〜６ｇ，７ｂ〜７ｇ，８ｂ〜８ｃ）から構成されていることを特徴とする誘導部品。
【請求項１１】
請求項１乃至１０のうちいずれか一項記載の誘導部品（１ａ〜１ｅ）であって、その漏れ磁界案内部材（６ａ〜８ｃ）の片側が接線方向に沿い平坦化されていることを特徴とする誘導部品。
【請求項１２】
請求項１乃至１１のうちいずれか一項記載の誘導部品（１ａ〜１ｅ）であって、その漏れ磁界案内部材（６ａ〜８ｃ）の外輪郭が、主磁気回路の外シャンクの内面、主磁気回路の外輪郭又はその双方に対し一定距離で延びることを特徴とする誘導部品。
【請求項１３】
請求項１乃至１２のうちいずれか一項記載の誘導部品（１ａ〜１ｅ）であって、その巻線（２〜４ｂ）が同方向に巻回されていることを特徴とする誘導部品。
【請求項１４】
そのチョーク（１ａ〜１ｅ）内で発生する漏れ磁束（ΦS）を案内すべく漏れ磁界案内部材（６ａ〜８ｃ）を備えたチョーク（１ａ〜１ｅ）をＰＦＣチョークとして使用する方法。
【請求項１５】
請求項１４記載の方法であって、そのＰＦＣチョーク（１ａ〜１ｅ）が、単相若しくは多相交流回路網と整流器との間又は直流回路網とインバータ（１０）との間に配されることを特徴とする方法。
【請求項１６】
請求項１５記載の方法であって、その交流回路網の各相がＰＦＣチョーク（１ａ〜１ｅ）を構成する巻線のうち１個に対し同様の形態で接続されることを特徴とする方法。
【請求項１７】
請求項１４又は１５記載の方法であって、
ＤＣ／ＤＣコンバータ（１１）を構成する２個のハーフブリッジからなるインバータ（１０）に、２個の巻線（２，３）を有するチョーク（１ａ〜１ｅ）を接続し、
一方の巻線（２）の終端部が他方の巻線（３）の開始部に接続され更にその点がＤＣ／ＤＣコンバータ（１１）の入力端に接続されるよう、それら２個の巻線（２，３）をセンタータップ付巻線に接続し、
ハーフブリッジ上の各ブリッジポイントに、各巻線（２，３）の自由端を接続することを特徴とする方法。
【請求項１８】
請求項１４乃至１７のうちいずれか一項記載の方法であって、そのＰＦＣチョーク（１ａ〜１ｅ）が請求項１〜１３のうちいずれか一項に従い構成されていることを特徴とする方法。
【請求項１９】
中心シャンク及び少なくとも１個の外シャンクを備える閉じた主磁気回路と、
中心シャンク上に配された少なくとも２個の巻線と、
上記少なくとも２個の巻線の間に配されており、且つ中心シャンク側に面する第１の空隙及び外シャンク側に面する第２の空隙を含め少なくとも２個の空隙によって主磁気回路から分離されている少なくとも１個の漏れ磁界案内部材と、
を備え、主磁気回路、漏れ磁界案内部材又はその双方が磁気等方的な素材で形成されているインダクタアセンブリ。
【請求項２０】
請求項１９記載のインダクタアセンブリであって、更に、
主磁気回路が中空体を有し、
中心シャンクがその中空体を通るピンを有するインダクタアセンブリ。
【請求項２１】
請求項１９記載のインダクタアセンブリであって、その漏れ磁界案内部材が環状であるインダクタアセンブリ。
【請求項２２】
請求項１９記載のインダクタアセンブリであって、その主磁気回路が回転対称な構成であるインダクタアセンブリ。
【請求項２３】
請求項１９記載のインダクタアセンブリであって、その漏れ磁界案内部材が回転対称な構成であるインダクタアセンブリ。
【請求項２４】
請求項１９記載のインダクタアセンブリであって、その漏れ磁界案内部材と巻線とが軸方向に沿って順に配置されているインダクタアセンブリ。
【請求項２５】
請求項２４記載のインダクタアセンブリであって、更に、
その巻線のうちいずれかが第１分巻巻線及び第２分巻巻線を有する分巻巻線、他のいずれかが第２巻線であり、
第１分巻巻線、第２分巻巻線、第２巻線及び漏れ磁界案内部材が、第１分巻巻線及び第２分巻巻線が積層体の各端を占めることとなるよう軸方向に沿って順に積層配置されているインダクタアセンブリ。
【請求項２６】
請求項１９記載のインダクタアセンブリであって、ラジアル方向に沿った巻線の拡がりが漏れ磁界案内部材のそれより大きいインダクタアセンブリ。
【請求項２７】
請求項１９記載のインダクタアセンブリであって、その漏れ磁界案内部材が漏れ磁束（ΦS）をラジアル方向に沿って案内するインダクタアセンブリ。
【請求項２８】
請求項１９記載のインダクタアセンブリであって、その漏れ磁界案内部材が単体構成であるインダクタアセンブリ。
【請求項２９】
請求項１９記載のインダクタアセンブリであって、その漏れ磁界案内部材が複数個の環状セグメントを有するインダクタアセンブリ。
【請求項３０】
請求項１９記載のインダクタアセンブリであって、その漏れ磁界案内部材が、接線方向に沿って平坦化された側部を有するインダクタアセンブリ。
【請求項３１】
請求項１９記載のインダクタアセンブリであって、その外シャンクの内面に対し、漏れ磁界案内部材の外輪郭が、ある一定の距離を以て延びるインダクタアセンブリ。
【請求項３２】
請求項１９記載のインダクタアセンブリであって、その外シャンクの外輪郭に対し、漏れ磁界案内部材の外輪郭が、ある一定の距離を以て延びるインダクタアセンブリ。
【請求項３３】
請求項１９記載のインダクタアセンブリであって、その巻線が互いに同一方向に巻回されているインダクタアセンブリ。
【請求項３４】
請求項１９記載のインダクタアセンブリであって、ＰＦＣチョークが形成されるようその巻線が配されているインダクタアセンブリ。
【請求項３５】
交流回路網と、
整流器と、
閉じた主磁気回路を有し交流回路網・整流器間に位置するＰＦＣチョークと、
その主磁気回路に備わる中心シャンクと、
同主磁気回路に備わる少なくとも１個の外シャンクと、
中心シャンク上に配された少なくとも２個の巻線と、
上記少なくとも２個の巻線の間に配されており、且つ中心シャンク側に面する第１の空隙及び外シャンク側に面する第２の空隙を含め少なくとも２個の空隙によって主磁気回路から分離されている少なくとも１個の漏れ磁界案内部材と、
を備え、主磁気回路、漏れ磁界案内部材又はその双方が磁気等方的な素材で形成されている電気回路。
【請求項３６】
請求項３５記載の電気回路であって、更に、その交流回路網が複数個の相を有し、各相が巻線のうち少なくとも１個に同様の形態で接続されている電気回路。
【請求項３７】
直流回路網と、
インバータと、
閉じた主磁気回路を有し直流回路網・整流器間に位置するＰＦＣチョークと、
その主磁気回路に備わる中心シャンクと、
同主磁気回路に備わる少なくとも１個の外シャンクと、
中心シャンク上に配された少なくとも２個の巻線と、
上記少なくとも２個の巻線の間に配されており、且つ中心シャンク側に面する第１の空隙及び外シャンク側に面する第２の空隙を含め少なくとも２個の空隙によって主磁気回路から分離されている少なくとも１個の漏れ磁界案内部材と、
を備え、主磁気回路、漏れ磁界案内部材又はその双方が磁気等方的な素材で形成されている電気回路。
【請求項３８】
請求項３７記載の電気回路であって、更に、
そのインバータが、ＤＣ／ＤＣコンバータのハーフブリッジを有すると共に、そのハーフブリッジがそれぞれブリッジポイントを有し、
各巻線の一端が、互いに電気的に接続されると共に、ＤＣ／ＤＣコンバータの入力端に電気的に接続されており。
各ブリッジポイントが、巻線のうち対応するものの自由端に電気的に接続されている電気回路。
【発明の詳細な説明】
【技術分野】
【０００１】
本願は、２０１１年１０月２５日付米国暫定特許出願第６１／５５１００２号及びその本出願、並びに２０１１年１０月２５日付欧州特許出願第１１１８６５７０号に基づく優先権の利益を享受する出願である。この参照を以て、欧州特許出願第１１１８６５７０号及び米国暫定特許出願第６１／５５１００２号の内容全体を、あらゆる意図及び目的にて且つ明示的に本願に繰り入れることにする。
【０００２】
本発明は、各巻線と鎖交する主磁束を案内する閉じた主磁気回路内に、その主磁気回路を構成する中心シャンク及び少なくとも１個の外シャンクのうち中心シャンク沿いに並ぶよう配置された少なくとも２個の巻線と、主磁束ではなく漏れ磁束を案内することができるよう巻線間に配置されており、中心シャンク側空隙及び外シャンク側空隙を併せ２個の空隙を以て主磁気回路から隔たっている１個又は複数個の漏れ磁界案内部材と、を備える誘導部品に関する。本発明は、更に、そのチョーク内で発生する漏れ磁束を案内すべく漏れ磁界案内部材を備えたチョークを使用する方法に関する。
【０００３】
なお、本願で言うところの「誘導部品」とは、例えばチョーク、変圧器等のことである。
【０００４】
チョークは誘導性の受動部品であり、主に、電気乃至電子装置乃至システムの電源乃至電力用電子回路にて、不要周波数抑圧やエネルギ蓄積に使用されている。チョークは、一般に、導電体による巻線（コイル）少なくとも１個と、そのコイルが配される磁束案内用の磁性コアとを有する。
【０００５】
本発明は、特に、複数個の巻線を有するチョーク即ち接続チョークに関する。こうした種類のチョークは、基本的に、主磁気回路内に複数個の巻線を有する点で変圧器と同じである。接続チョークと変圧器の間の主な違いは、その配線及び使用形態にある。従って、基本的に、接続チョークを変圧器として使うこともその逆も可能である。
【背景技術】
【０００６】
複数個の巻線を有する誘導部品では、各巻線と鎖交する主磁束以外に、一部の巻線としか鎖交しない漏れ磁束が発生する。発生した漏れ磁束は巻線上に渦電流を発生させ、その渦電流は誘導部品にとり負荷となるので、大抵の部品で望ましくないとされている。この理由で、従来から、漏れ磁束を案内する手段が幾通りか提案されている。
【０００７】
例えば特許文献１には、漏れ磁束及び渦電流を抑えた高周波チョークが記載されている。このチョークでは、円筒状のコアに溝が設けられ、その溝内にチョークの巻線が配されている。更に、磁束を通すポット状のボディが設けられている。主磁束が通る経路上には、漏れ磁束が通る経路と同じく１個の空隙が設けられている。従って、主インダクタンスと漏れインダクタンスが同程度の大きさとなる。
【０００８】
更に、特許文献２には、第１巻線と第２巻線の間に漏れ空隙がある同軸型の巻線配置が示されている。また、この巻線配置には、第２巻線を同軸に取り巻くよう漏れ空隙内に配された漏れ磁束案内シリンダと、巻線の一端に配されラジアル方向に延びる少なくとも１個の漏れ磁束案内ヨークと、が備わっている。この構成では、巻線同士が同一面内に並び、漏れ磁束が軸方向（２個の巻線の回転軸に対し平行な方向）に沿って案内される。
【０００９】
更に、特許文献３では、少なくとも２個の主経路を有するチョーク用のコアが示されており、漏れ磁束を案内するための漏れ磁界案内部材が２個、渦電流損を抑えるべく設けられている。主磁束を案内するためのコアは２個のＥ字状部品で成り立っている。主磁束が通る経路上には、漏れ磁束が通る経路と同じく１個の空隙が設けられている。従って、主インダクタンスと漏れインダクタンスが同程度の大きさとなる。
【００１０】
更に、特許文献４には、接続チョークの用例たる力率補正付スイッチドモード電源や、それ用の巻線が示されている。その巻線では、コイルボディ及び共有コア上で２個のインダクタが直列接続されている。巻線はコイルボディ上の互いに異なるチャンバ内に配されている。２個のインダクタの間には、コアの空隙領域に位置する空のチャンバがある。
【００１１】
更に、特許文献５には、蛍光灯用漏れ変圧器が示されている。この変圧器には、２個の巻線間にあり主磁気回路から２個の空隙によって分離されている漏れ磁界案内部材が備わっている。
【００１２】
更に、特許文献６に記載の車載変圧器には、シェル型のアイロンコアや、互いに磁気誘導的な関係となるようそのアイロンコア上に巻回された入力側巻線及び出力側巻線が備わっている。この変圧器には、更に、入力側巻線・出力側巻線間にある空隙付の磁性アセンブリのほか、磁気的に疎な結合が出力側巻線間に生じるよう出力側巻線間に配された第２磁性部材アセンブリが備わっている。その第２磁性部材アセンブリには、アイロンコアで取り巻かれた空間内に位置する空隙無し磁性部材や、その空隙無し磁性部材をアイロンコア及び巻線に対し絶縁支持する絶縁部材が備わっている。
【００１３】
更に、特許文献７に記載の漏れ変圧器はマイクロ波オーブン内のマグネトロン等に適したものであり、磁性コアパッケージ及び漏れ磁界パッケージのほか、一次巻線及び二次巻線を主巻線として備えている。
【００１４】
そして、特許文献８記載の漏れ変圧器では一次巻線及び二次巻線がポットコア変圧器の中央レグ上に実装されており、そのポットコア変圧器が巻線向けリード線引き出し用のスルーホール１個又は複数個に対し完全に閉止されている。中央レグには空隙が、また一次巻線・二次巻線間には磁気シャントが設けられている。それら空隙及び磁気シャントによって、一次巻線・二次巻線間結合係数が規定されている。
【先行技術文献】
【特許文献】
【００１５】
【特許文献１】特開平８−２２２４４１号公報
【特許文献２】独国特許出願公開第１０２４６５４３号明細書（Ａ１）
【特許文献３】特開昭５９−２２３０５号公報
【特許文献４】独国特許出願公開第１０１３５５９９号明細書（Ａ１）
【特許文献５】蘭国特許第４３６８１号明細書（Ｃ）
【特許文献６】欧州特許出願公開第０５５１５５５号明細書（Ａ)
【特許文献７】独国実用新案第８６３３３３８号明細書（Ｕ１）
【特許文献８】欧州特許出願第０１４２２０７号明細書（Ａ１）
【発明の概要】
【発明が解決しようとする課題】
【００１６】
本発明の目的は誘導部品の改良にある。具体的には、上述した従来型誘導部品の難点を解消することにある。更に、そのチョークで発生する漏れ磁束を案内可能な漏れ磁界案内部材を備えたチョークを好適に使用することにある。
【課題を解決するための手段】
【００１７】
このような目的を達成すべく、本発明に係る誘導部品では、冒頭に記したタイプの誘導部品において、主磁気回路、漏れ磁界案内部材又はその双方を磁気等方的な素材、例えばフェライトで形成する。
【００１８】
また、同目的を達成すべく、本発明に係る方法では、そのチョーク内で発生する漏れ磁束を案内すべく漏れ磁界案内部材を備えたチョーク、例えば上掲の特徴を有するチョークをＰＦＣ（力率補正）チョークとして使用する。
【００１９】
本発明によれば、次のような効果が得られる：
−  漏れ磁束が誘導部品内に留まる；
−  漏れ磁束が巻線周りで案内されるため巻線内に渦電流が発生しない。比肩するに、例えば在来のコモンモードチョークでは、チョークに対する大電流負荷が原因で発生する熱負荷に耐えられなかった；
−  漏れ磁束を、漏れ磁界案内部材（リング）の形状・寸法の設定によって、好適に案内することができる。
【００２０】
磁気等方的な素材を使用しているので、特に、主磁気回路や漏れ磁界案内部材における渦電流損を低減することができる。
【００２１】
本発明の好適な実施形態に関しては、従属形式請求項、図面を参照しての説明並びに図面中の記載から読み取ることができる。
【００２２】
例えば、主磁気回路を中空空間内を通るピンを有する中空体として形成し、そのピンを中心シャンクとして使用するのが望ましい。この構成では、主磁気回路の製造を簡略な形態で行える。
【００２３】
漏れ磁界案内部材は環状にするのが望ましい。中心シャンクとして構成されたピン上に組み付ければよいので、漏れ磁界案内部材を簡便に組み付けることができる。
【００２４】
主磁気回路、漏れ磁界案内部材及び巻線のうち１個又は複数個を回転対称な構成にするのが望ましい。この構成では、それらの部材を簡便に製造することができる。
【００２５】
特に、漏れ磁界案内部材及び巻線を軸方向に沿い交互に配置するのが望ましい。中心シャンクとして構成されたピン上に漏れ磁界案内部材及び巻線を交互に組み付ければよいので、誘導部品の組立を非常に簡便に行うことができる。
【００２６】
特に、巻線が軸投射方向に沿い漏れ磁界案内部材よりも張り出す構成が望ましい。こうすることで、中心シャンク側空隙及び外シャンク側空隙を簡便に形成することができる。
【００２７】
更に、巻線のうち１個を例えば２部分に分割し、それらの部分を、他の巻線及び漏れ磁界案内部材で形成される積層体の各端部に配置するのが望ましい。これにより、磁束が好適に形成されることとなる。
【００２８】
更に、漏れ磁界案内部材で漏れ磁束をラジアル方向に案内するのが望ましい。これにより、誘導部品の構成が全体としてコンパクトになる。
【００２９】
漏れ磁界案内部材は別体の部品として構成するのが望ましい。これにより、漏れ磁界案内部材を容易に製造可能となり、主磁気回路とは違う素材で形成することも可能となる。
【００３０】
漏れ磁界案内部材を複数個の環状セグメントから構成するのが望ましい。個別の部材が比較的小さくなると共に、漏れ磁界案内部材を簡便に製造することができる。更に、それら環状セグメントは、それ用にコイル本体に設けられているチャンバ内に、巻線間に挟まるよう順に押し入れればよい。
【００３１】
漏れ磁界案内部材の片側が接線方向に沿い平坦化されているのが望ましい。この構成では、本発明に係る誘導部品を平坦な基板上に簡略な形態で実装することができる。
【００３２】
更に、その漏れ磁界案内部材の外輪郭が、主磁気回路の外シャンクの内面、主磁気回路の外輪郭又はその双方に対し一定距離で延びる構成とするのが望ましい。これにより、発生する空隙が全体に亘り同一サイズとなる。
【００３３】
本発明に係るチョークをＰＦＣチョークとして使用する場合、そのＰＦＣチョークが、単相若しくは多相交流回路網と整流器との間又は直流回路網とインバータとの間に配されるようにするのが望ましい。こうした構成では、ＰＦＣチョークがコモンモードチョークとして機能する。その場合の主インダクタンスは信号のコモンモード部分に作用し、漏れインダクタンスは同信号の交流部分に作用する。
【００３４】
この場合、交流回路網の各相が、ＰＦＣチョークを構成する巻線のうち１個に対し同様の形態で接続されるのが望ましい。また、チョークの巻線は同方向に巻回されるのが望ましい。この構成では、ＰＦＣチョークを回路内に（引き続いて）好適に挿入することができる。
【００３５】
更に、ＤＣ／ＤＣコンバータ（例えばブーストコンバータ）を構成する２個のハーフブリッジからなるインバータに２個の巻線を有するチョークを接続し、一方の巻線の終端部が他方の巻線の開始部に接続され更にその点がＤＣ／ＤＣコンバータの入力端に接続されるようそれら２個の巻線をセンタータップ付巻線に接続し、ハーフブリッジ上の各ブリッジポイントに各巻線の自由端を接続するのが望ましい。この構成では、ＤＣ／ＤＣコンバータの入力側に対する作用が小さくなる。
【００３６】
本発明の上述した諸実施形態は任意の形態で組み合わせることができる。
【図面の簡単な説明】
【００３７】
【図１】本発明の一実施形態に係る誘導部品の縦断面及び横断面を示す図である。
【図２】図１に示した誘導部品における主磁束及び漏れ磁束の様子を示す図である。
【図３】本発明の他の実施形態に係り各漏れ磁界案内部材が２個の環状セグメントを有する誘導部品を示す図である。
【図４】本発明の他の実施形態に係り各漏れ磁界案内部材が４個の環状セグメントを有すると共に巻線が２個しかない（そのうち１個は分巻されている）誘導部品を示す図である。
【図５】本発明の他の実施形態に係り非分巻型の巻線２個及びその端部で分割されている主磁気回路を有する誘導部品を示す図である。
【図６】漏れ磁界案内部材を有するチョークをＰＦＣチョークとして使用した例を示す図である。
【図７】漏れ磁界案内部材を有するチョークをＤＣ／ＤＣコンバータ内接続チョークとして使用した例を示す図である。
【図８】図７に示した回路が第１動作状態で呈する電圧及び電流の時間的変化を示す図である。
【図９】図７に示したチョークが第１動作状態で呈する差分電圧の時間的変化を示す図である。
【図１０】図７に示した回路が第２動作状態で呈する電圧及び電流の時間的変化を示す図である。
【図１１】軸配置型円筒ピンを伴う中空シリンダとして主磁気回路を構成した例を示す図である。
【発明を実施するための形態】
【００３８】
以下、模式的な図面に例示した実施形態に基づき本発明を詳細に説明する。
【００３９】
図中、同一又は類似の部材には同一の参照符号を付してある。機能的に類似した要素乃至部材には、特に注釈のない限り、同一の参照符号（但し添え字が違うもの）を付してある。
【００４０】
図１に、本発明の一実施形態に係るチョーク１ａの縦断面（左図）及びＡＡ断面（右図）を示す。また、図２に、磁束がよりはっきりとわかるよう斜線を省きチョーク１ａを示す。以下、チョークを例にして本発明を説明する。これから説明する事項は、無論、冒頭に記した他種の誘導部品、例えば変圧器にも適用することができる。
【００４１】
チョーク１ａは、第１巻線２、第２巻線３、並びに２個の部分４ａ，４ｂからなる第３巻線を備えており、これらは各巻線２〜４ｂに鎖交する主磁束ΦHを案内するための閉じた主磁気回路５ａ，５ｂ内に配されている。分巻第３巻線４ａ，４ｂ併せての巻数は第１巻線２又は第２巻線３と同数以上である。２個の分巻第３巻線を個別の巻線と数えれば、チョーク１ａを構成する巻線の個数は４個となる。
【００４２】
巻線２〜４ｂ同士の狭間にはそれぞれ漏れ磁界案内部材６ａ〜８ａが配されている。同部材は、主磁束ΦHではなく漏れ磁束ΦSを案内できるよう２個の空隙Ｅ〜Ｊによって主磁気回路から分離されている。
【００４３】
主磁気回路５ａ〜５ｈや漏れ磁界案内部材６ａ〜８ｃは磁気等方的な素材、例えばフェライトによって形成されている。
【００４４】
漏れ磁界案内部材６ａ〜８ａは環状に形成されている。具体的には、巻線２〜４ｂと同じく軸対称に形成されている。
【００４５】
主磁気回路５ａ，５ｂは、その周りに巻線２〜４ｂ及び漏れ磁界案内部材６ａ〜８ａが配される円筒ピン（中心シャンク）、並びに主磁束ΦHを案内する２個の外シャンクを備えている。こうした構成に代え、主磁気回路が中空体でその中空空間内をピンが通る構成にすることもできる。具体的には、図１１に示すように、軸方向に配された円筒ピンを有する中空円筒からなる回転対称的な構成である。
【００４６】
更に、漏れ磁界案内部材６ａ〜８ａ及び巻線２〜４ｂは、１個ずつ順に軸方向に沿って配されている。分巻巻線４ａ，４ｂは、他の巻線２，３及び漏れ磁界案内部材６ａ〜８ａで形成される積層体の各端部に位置している。
【００４７】
図１から容易に読み取れるように、漏れ磁界案内部材６ａ〜８ａは個別の部材として形成されている。また、これらは回転対称なリングとして構成されているので、漏れ磁束ΦSをラジアル方向に沿って案内することができる。ここでいう「ラジアル」は広義に解すべきであり、回転対称体に限定されるものではない。例えば、漏れ磁界案内部材を方形的なリングとして構成し、主磁気回路の中心に設けた方形部分に配することも可能である。
【００４８】
更に、ＡＡ断面図から容易に読み取れるように、巻線２〜４ｂは軸投射方向に沿って漏れ磁界案内部材６ａ〜８ａよりも張り出している。従って、中心シャンク側空隙Ｅ，Ｇ，Ｉ及び外シャンク側空隙Ｆ，Ｈ，Ｊが単純な形態で発生する。
【００４９】
図示例では、巻線２〜４ｂ及び漏れ磁界案内部材６ａ〜８ａがホルダ９ａ内に組み込まれている。従って、それらを互いに正確に位置決めすることができ、また巻線２〜４ｂ、漏れ磁界案内部材６ａ〜８ａ及びホルダ９ａからなるモジュールを主磁気回路５ａ，５ｂ内に好適に実装することができる。ホルダ９ａは、例えばプラスチックを射出成形するプロセスで形成する。その場合、巻線２〜４ｂ及び漏れ磁界案内部材６ａ〜８ａを同時にオーバモールドするようにしてもよいし、仕上がったホルダ９ａ上に巻線２〜４ｂ及び漏れ磁界案内部材６ａ〜８ａを装着するようにしてもよい。
【００５０】
図３に、本発明の他の実施形態に係るチョーク１ｂを示す。このチョーク１ｂは図１に示したチョーク１ａとよく似ているが、漏れ磁界案内部材が２個の環状セグメント６ｂ〜８ｃから構成されている点、並びに外側にある漏れ磁束用空隙がどの位置でも同一のサイズになるよう主磁気回路の外シャンクが輪郭設定されている点で異なっている。更に、主磁気回路が別の点で分割され、２個の部分５ｃ，５ｄにより形成されている。
【００５１】
図４に、本発明の他の実施形態に係るチョーク１ｃを示す。このチョーク１ｃは図１に示したチョーク１ａとよく似ているが、巻線が第１巻線２及び第２巻線のみである点、並びに第２巻線が２個の部分３ａ，３ｂに分かれている点で異なっている。そのため、主磁気回路を構成する２個の部分５e，５ｆが若干短くなっている。更に、ＣＣ断面図に示す通り、漏れ磁界案内部材が４個の環状セグメント６ｄ〜７ｇによって形成されている。
【００５２】
図５に、本発明の他の実施形態に係るチョーク１ｄを示す。このチョーク１ｄは図１に示したチョーク１ａとよく似ているが、第１巻線２及び第２巻線３しか有していない点、並びにその第２巻線３が分巻されていない点で異なっている。更に、主磁気回路がその端部で分割され、２個の部分５ｇ，５ｈによって形成されている。
【００５３】
なお、図１〜図５に示した構成（これまで説明してきた構成）を互いに組み合わせることもできる。例えば、図１に示したチョーク１ａの主磁気回路を図５の如く分割することや、図４に示す如く４個のセグメントに分割されている漏れ磁界案内部材６ｄ〜７ｇを図３に示したチョーク１ｂ向けに使用すること等ができる。
【００５４】
図６に、そのチョーク１で生じる漏れ磁束ΦSを案内可能な漏れ磁束案内部材を備えたチョーク１を、ＰＦＣ（力率補正）チョークとして使用する例を示す。図示例では、ＰＦＣチョーク１が多相交流回路網・整流器１０間に配されている。また、交流回路網の各相Ｌ１，Ｌ２，Ｌ３が、それぞれＰＦＣチョーク１の巻線のうち一つに、互いに同様の形態で接続されている。整流器１０はアクティブ整流器であり、その構成は既知の通りである。図示例では、更に、ＰＦＣチョーク１の上流側にＥＭＣ（電磁適合性）フィルタ１１が接続されている。
【００５５】
こうした構成では、ＰＦＣチョーク１がコモンモードチョークとして機能する。即ち、主インダクタンスがＰＷＭ（パルス幅変調）信号のコモンモード部分に作用し、漏れインダクタンスが同信号のプッシュプル部分（差動部分）に作用する。対称ＰＷＭを使用する場合、倍ＰＷＭ周波数により高周波電流リプルに関しても好適な作用が生じる。
【００５６】
チョーク１としては、本発明に係る特徴を備えたものを使用する。即ち、少なくとも２個の巻線２〜４ｂを閉じた主磁気回路５ａ〜５ｈ内に配し、各巻線２〜４ｂと鎖交する主磁束ΦHをその回路で案内する構成を使用する。主磁気回路５ａ〜５ｈは中心シャンク及び少なくとも１個の外シャンクを備える構成とし、少なくとも２個の巻線２〜４ｂをその中心シャンク上に配する。チョーク１としては、更に、１個又は複数個の漏れ磁界案内部材６ａ〜８ｃを備えたものを使用する。漏れ磁界案内部材６ａ〜８ｃは、主磁気回路に対し２個の空隙Ｅ〜Ｊ（中心シャンク側空隙Ｅ，Ｇ，Ｉ及び外シャンク側空隙Ｆ，Ｈ，Ｊ）を以て分離されるよう巻線２〜４ｂ同士の間に配する。漏れ磁界案内部材６ａ〜８ｃは、主磁束ΦHではなく漏れ磁束ΦSを案内しうるように構成する。この場合、チョーク１ａ〜１ｄの巻線２〜４ｂは例えば同方向に巻回する。好適なことに、図１〜図５に示したチョーク１ａ〜１ｄをチョーク１として使用することができる。
【００５７】
図６に示した例では、ＰＦＣチョーク１が多相交流回路網Ｌ１，Ｌ２，Ｌ３と整流器１０との間に配されている。これに倣い、ＰＦＣチョーク１を単相交流回路網・整流器間に配することもできる。更に、チョーク１を直流回路網・インバータ間に配することもできる。
【００５８】
図７に、そのチョーク１で生じる漏れ磁束ΦSを案内可能な漏れ磁束案内部材を備えたチョークを、ＤＣ／ＤＣコンバータ（ここではブーストコンバータ）内で蓄積チョークとして使用する例を示す。図示例では、そのチョークが、図５に示したチョーク１ｄとして実現されている。即ち、その主インダクタンスが非常に大きいものが使用されている。この蓄積チョークでは漏れインダクタンスの影響も発生する。無論、漏れ磁界案内部材を備える他種チョークも使用することができる。
【００５９】
具体的には、ＰＦＣチョーク１ｄの巻線２，３がＤＣ／ＤＣコンバータ１３のインバータ１２に接続されている。ＤＣ／ＤＣコンバータ１３はハーフブリッジ２個で構成されており、
−  各ブリッジポイントには各巻線２，３の一端が接続されており、
−  巻線の他端が互いに接続されており、
−  巻線２，３が主磁気回路５ｇ，５ｈ内で逆向きに配されている。
【００６０】
図８〜図１０に、図７に示したＤＣ／ＤＣコンバータ１３の機能をグラフにより示す。
【００６１】
図８に示したのは、インバータ１２のブリッジポイントにおける電圧Ｕ1，Ｕ2、チョーク１ｄの巻線２，３に流れる電流ＩL1，ＩL2、並びにＤＣ／ＤＣコンバータ１３に流入する入力電流ＩEの時間的挙動、特に第１動作状態におけるそれである。同図から読み取れるように、インバータ１２のハーフブリッジに対する位相オフセット制御により、倍ＰＷＭ周波数を有する電流リプルがもたらされている。
【００６２】
図９に示したのは、チョーク１ｄの働きで二通りのブリッジ電圧Ｕ1，Ｕ2によりもたらされる差分電圧ΔＵである。同図から読み取れるように、差分電圧ΔＵひいてはチョーク電流ＩL1，ＩL2の周波数は、電圧Ｕ1，Ｕ2のそれに比べて倍になる。そのため、チョーク１ｄの漏れインダクタンスを比較的小さい値にすることができる。
【００６３】
図１０に示したのは図８に示したパラメタと同様のパラメタ、但しＤＣ／ＤＣコンバータ１３が第２動作状態にあるときのそれである。同図から読み取れるように、この場合、インバータ１２の対称制御（５０％ＰＷＭ）を行うと入力電流ＩEのリプルが実質的に０になる。この動作状態では、漏れインダクタンスに比べ非常に大きい主インダクタンスによって電流リプルが決定づけられるため、その周波数が電圧Ｕ1，Ｕ2のそれと等しくなる。
【００６４】
図１１に、本発明の他の実施形態に係るチョーク１ｅの斜視外観を示す。このチョーク１ｅは図５に示したチョーク１ｄと似ているが、その中空空間内を通るピンを備えた中空体として主磁気回路５ｉ，５ｊが構成されている点で異なっている。具体的には、軸方向に配置された円筒ピン５ｉ及びカバー５ｊからなる中空シリンダとして、その主磁気回路が構成されている。更に、チョーク１ｅは、第１巻線２、第２巻線３、漏れ磁界案内部材６ａ及びそれを保持するホルダ９ｄを備えている。ホルダ９ｄは、漏れ磁界案内部材６ａを覆うよう、プラスチックを用いた射出成形プロセスで形成されている。この図に示した例は２個の巻線２，３及び円筒状の磁気回路５ｉ，５ｊを有する例であるが、多角形の磁気回路にすることや３個以上の巻線を有する構成にすることも可能である。
【００６５】
そして、各図面は実寸に対し忠実な縮尺を呈する図面ではないので、冒頭に記したタイプの誘導部品における寸法比を本発明の技術的範囲内で別の値にすることができる。また、漏れ磁界案内部材付チョークの適用可能範囲は広い範囲に亘るものであり、説明した回路例はその範囲の一部に過ぎない。本件技術分野に習熟した者（いわゆる当業者）であれば更なる変形を容易に施せよう。
【符号の説明】
【００６６】
１ａ〜１ｅ  誘導部品（チョークや変圧器）、２  第１巻線、３  第２巻線、３ａ，３ｂ  分巻第２巻線、４ａ，４ｂ  分巻第３巻線、５ａ〜５ｊ  主磁気回路、６ａ〜６ｅ  第１漏れ磁界案内部材、７ａ〜７ｅ  第２漏れ磁界案内部材、８ａ〜８ｅ  第３漏れ磁界案内部材、９ａ〜９ｄ  ホルダ、１０  整流器、１１  ＥＭＣフィルタ、１２  インバータ、１３  ＤＣ／ＤＣコンバータ、ΦH  主磁束、ΦS  漏れ磁束、ΔＵ  差分電圧、Ｅ，Ｇ，Ｉ  中心シャンク側空隙、Ｆ，Ｈ，Ｊ  外シャンク側空隙、Ｉ  電流、ＩE  入力電流、ＩL1，ＩL2  チョーク電流、ｔ  時間、Ｕ  電圧、Ｕ1，Ｕ2  ブリッジ電圧、ＵA  出力電圧、ＵE  入力電圧。
【図１】
2014535172.tif 000003
【図２】
2014535172.tif 000004
【図３】
2014535172.tif 000005
【図４】
2014535172.tif 000006
【図５】
2014535172.tif 000007
【図６】
2014535172.tif 000008
【図７】
2014535172.tif 000009
【図８】
2014535172.tif 000010
【図９】
2014535172.tif 000011
【図１０】
2014535172.tif 000012
【図１１】
2014535172.tif 000013
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
各巻線（２〜４ｂ）と鎖交する主磁束（ΦH）を案内する閉じた主磁気回路（５ａ〜５ｊ）内に、その主磁気回路（５ａ〜５ｊ）を構成する中心シャンク及び少なくとも１個の外シャンクのうち中心シャンク沿いに並ぶよう配置された少なくとも２個の巻線（２〜４ｂ）と、
主磁束（ΦH）ではなく漏れ磁束（ΦS）を案内することができるよう巻線（２〜４ｂ）間に配置されており、中心シャンク側空隙（Ｅ，Ｇ，Ｉ）及び外シャンク側空隙（Ｆ，Ｈ，Ｊ）を併せ２個の空隙（Ｅ〜Ｊ）を以て主磁気回路から隔たっている１個又は複数個の漏れ磁界案内部材（６ａ〜８ｃ）と、
を備える誘導部品（１ａ〜１ｅ）であって、
主磁気回路（５ａ〜５ｊ）、漏れ磁界案内部材（６ａ〜８ｃ）又はその双方が磁気等方的な素材で形成されていることを特徴とする誘導部品。
【請求項２】
請求項１記載の誘導部品（１ａ〜１ｅ）であって、その主磁気回路が、中空空間内を通るピンを有する中空体として形成され、そのピンが中心シャンクとして使用されることを特徴とする誘導部品。
【請求項３】
請求項２記載の誘導部品（１ａ〜１ｅ）であって、その漏れ磁界案内部材（６ａ〜８ｃ）が環状の構成であることを特徴とする誘導部品。
【請求項４】
請求項２又は３記載の誘導部品（１ａ〜１ｅ）であって、主磁気回路、漏れ磁界案内部材（６ａ〜８ｃ）及び巻線のうち１個又は複数個が回転対称な構成であることを特徴とする誘導部品。
【請求項５】
請求項１乃至４のうちいずれか一項記載の誘導部品（１ａ〜１ｅ）であって、その漏れ磁界案内部材（６ａ〜８ｃ）及び巻線（２〜４ｂ）が軸方向に沿い交互に配置されていることを特徴とする誘導部品。
【請求項６】
請求項５記載の誘導部品（１ａ〜１ｅ）であって、その巻線（２〜４ｂ）が、軸投射方向に沿い漏れ磁界案内部材（６ａ〜８ａ）よりも張り出していることを特徴とする誘導部品。
【請求項７】
請求項１乃至６のうちいずれか一項記載の誘導部品（１ａ〜１ｅ）であって、その巻線（２〜４ｂ）のうち１個が２部分に分割されており、それらの部分（３ａ，３ｂ，４ａ，４ｂ）が、他の巻線（２，３）及び漏れ磁界案内部材（６ａ〜８ｃ）で形成される積層体の各端部に位置することを特徴とする誘導部品。
【請求項８】
請求項１乃至７のうちいずれか一項記載の誘導部品（１ａ〜１ｅ）であって、その漏れ磁界案内部材（６ａ〜８ｃ）が、漏れ磁束（ΦS）をラジアル方向に案内する構成であることを特徴とする誘導部品。
【請求項９】
請求項１乃至８のうちいずれか一項記載載の誘導部品（１ａ〜１ｅ）であって、その漏れ磁界案内部材（６ａ〜８ｃ）が別体の部品として構成されていることを特徴とする誘導部品。
【請求項１０】
請求項１乃至９のうちいずれか一項記載の誘導部品（１ａ〜１ｅ）であって、その漏れ磁界案内部材（６ａ〜８ｃ）が複数個の環状セグメント（６ｂ〜６ｇ，７ｂ〜７ｇ，８ｂ〜８ｃ）から構成されていることを特徴とする誘導部品。
【請求項１１】
請求項１乃至１０のうちいずれか一項記載の誘導部品（１ａ〜１ｅ）であって、その漏れ磁界案内部材（６ａ〜８ｃ）の片側が接線方向に沿い平坦化されていることを特徴とする誘導部品。
【請求項１２】
請求項１乃至１１のうちいずれか一項記載の誘導部品（１ａ〜１ｅ）であって、その漏れ磁界案内部材（６ａ〜８ｃ）の外輪郭が、主磁気回路の外シャンクの内面、主磁気回路の外輪郭又はその双方に対し一定距離で延びることを特徴とする誘導部品。
【請求項１３】
請求項１乃至１２のうちいずれか一項記載の誘導部品（１ａ〜１ｅ）であって、その巻線（２〜４ｂ）が同方向に巻回されていることを特徴とする誘導部品。
【請求項１４】
そのチョーク（１ａ〜１ｅ）内で発生する漏れ磁束（ΦS）を案内すべく漏れ磁界案内部材（６ａ〜８ｃ）を備えたチョーク（１ａ〜１ｅ）をＰＦＣチョークとして使用する方法。
【請求項１５】
請求項１４記載の方法であって、そのＰＦＣチョーク（１ａ〜１ｅ）が、単相若しくは多相交流回路網と整流器との間又は直流回路網とインバータ（１０）との間に配されることを特徴とする方法。
【請求項１６】
請求項１５記載の方法であって、その交流回路網の各相がＰＦＣチョーク（１ａ〜１ｅ）を構成する巻線のうち１個に対し同様の形態で接続されることを特徴とする方法。
【請求項１７】
請求項１４又は１５記載の方法であって、
ＤＣ／ＤＣコンバータ（１１）を構成する２個のハーフブリッジからなるインバータ（１０）に、２個の巻線（２，３）を有するチョーク（１ａ〜１ｅ）を接続し、
一方の巻線（２）の終端部が他方の巻線（３）の開始部に接続され更にその点がＤＣ／ＤＣコンバータ（１１）の入力端に接続されるよう、それら２個の巻線（２，３）をセンタータップ付巻線に接続し、
ハーフブリッジ上の各ブリッジポイントに、各巻線（２，３）の自由端を接続することを特徴とする方法。
【請求項１８】
請求項１４乃至１７のうちいずれか一項記載の方法であって、そのＰＦＣチョーク（１ａ〜１ｅ）が請求項１〜１３のうちいずれか一項に従い構成されていることを特徴とする方法。
【請求項１９】
請求項１乃至１３のうちいずれか一項記載の誘導部品であって、
その巻線のうちいずれかが第１分巻巻線及び第２分巻巻線を有する分巻巻線、他のいずれかが第２巻線であり、
第１分巻巻線、第２分巻巻線、第２巻線及び漏れ磁界案内部材が、第１分巻巻線及び第２分巻巻線が積層体の各端を占めることとなるよう軸方向に沿って順に積層配置されていることを特徴とする誘導部品。
【請求項２０】
請求項１９記載の誘導部品であって、ラジアル方向に沿った巻線の拡がりが漏れ磁界案内部材のそれより大きく、漏れ磁界案内部材が単体構成であることを特徴とする誘導部品。
【請求項２１】
交流回路網と、
整流器と、
閉じた主磁気回路を有し交流回路網・整流器間に位置するＰＦＣチョークと、
その主磁気回路に備わる中心シャンクと、
同主磁気回路に備わる少なくとも１個の外シャンクと、
中心シャンク上に配された少なくとも２個の巻線と、
上記少なくとも２個の巻線の間に配されており、且つ中心シャンク側に面する第１の空隙及び外シャンク側に面する第２の空隙を含め少なくとも２個の空隙によって主磁気回路から分離されている少なくとも１個の漏れ磁界案内部材と、
を備え、主磁気回路、漏れ磁界案内部材又はその双方が磁気等方的な素材で形成されていることを特徴とする電気回路。
【請求項２２】
請求項２１記載の電気回路であって、更に、その交流回路網が複数個の相を有し、各相が巻線のうち少なくとも１個に同様の形態で接続されていることを特徴とする電気回路。
【請求項２３】
直流回路網と、
インバータと、
閉じた主磁気回路を有し直流回路網・整流器間に位置するＰＦＣチョークと、
その主磁気回路に備わる中心シャンクと、
同主磁気回路に備わる少なくとも１個の外シャンクと、
中心シャンク上に配された少なくとも２個の巻線と、
上記少なくとも２個の巻線の間に配されており、且つ中心シャンク側に面する第１の空隙及び外シャンク側に面する第２の空隙を含め少なくとも２個の空隙によって主磁気回路から分離されている少なくとも１個の漏れ磁界案内部材と、
を備え、主磁気回路、漏れ磁界案内部材又はその双方が磁気等方的な素材で形成されていることを特徴とする電気回路。
【請求項２４】
請求項２３記載の電気回路であって、更に、
そのインバータが、ＤＣ／ＤＣコンバータのハーフブリッジを有すると共に、そのハーフブリッジがそれぞれブリッジポイントを有し、
各巻線の一端が、互いに電気的に接続されると共に、ＤＣ／ＤＣコンバータの入力端に電気的に接続されており。
各ブリッジポイントが、巻線のうち対応するものの自由端に電気的に接続されていることを特徴とする電気回路。
【手続補正２】
【補正対象書類名】明細書
【補正対象項目名】０００１
【補正方法】変更
【補正の内容】
【０００１】
本発明は、各巻線と鎖交する主磁束を案内する閉じた主磁気回路内に、その主磁気回路を構成する中心シャンク及び少なくとも１個の外シャンクのうち中心シャンク沿いに並ぶよう配置された少なくとも２個の巻線と、主磁束ではなく漏れ磁束を案内することができるよう巻線間に配置されており、中心シャンク側空隙及び外シャンク側空隙を併せ２個の空隙を以て主磁気回路から隔たっている１個又は複数個の漏れ磁界案内部材と、を備える誘導部品に関する。本発明は、更に、そのチョーク内で発生する漏れ磁束を案内すべく漏れ磁界案内部材を備えたチョークを使用する方法に関する。
【手続補正３】
【補正対象書類名】明細書
【補正対象項目名】０００２
【補正方法】変更
【補正の内容】
【０００２】
なお、本願で言うところの「誘導部品」とは、例えばチョーク、変圧器等のことである。
【手続補正４】
【補正対象書類名】明細書
【補正対象項目名】０００３
【補正方法】変更
【補正の内容】
【０００３】
チョークは誘導性の受動部品であり、主に、電気乃至電子装置乃至システムの電源乃至電力用電子回路にて、不要周波数抑圧やエネルギ蓄積に使用されている。チョークは、一般に、導電体による巻線（コイル）少なくとも１個と、そのコイルが配される磁束案内用の磁性コアとを有する。
【手続補正５】
【補正対象書類名】明細書
【補正対象項目名】０００４
【補正方法】変更
【補正の内容】
【０００４】
本発明は、特に、複数個の巻線を有するチョーク即ち接続チョークに関する。こうした種類のチョークは、基本的に、主磁気回路内に複数個の巻線を有する点で変圧器と同じである。接続チョークと変圧器の間の主な違いは、その配線及び使用形態にある。従って、基本的に、接続チョークを変圧器として使うこともその逆も可能である。
【手続補正６】
【補正対象書類名】明細書
【補正対象項目名】０００５
【補正方法】変更
【補正の内容】
【０００５】
複数個の巻線を有する誘導部品では、各巻線と鎖交する主磁束以外に、一部の巻線としか鎖交しない漏れ磁束が発生する。発生した漏れ磁束は巻線上に渦電流を発生させ、その渦電流は誘導部品にとり負荷となるので、大抵の部品で望ましくないとされている。この理由で、従来から、漏れ磁束を案内する手段が幾通りか提案されている。
【手続補正７】
【補正対象書類名】明細書
【補正対象項目名】０００６
【補正方法】変更
【補正の内容】
【０００６】
例えば特許文献１には、漏れ磁束及び渦電流を抑えた高周波チョークが記載されている。このチョークでは、円筒状のコアに溝が設けられ、その溝内にチョークの巻線が配されている。更に、磁束を通すポット状のボディが設けられている。主磁束が通る経路上には、漏れ磁束が通る経路と同じく１個の空隙が設けられている。従って、主インダクタンスと漏れインダクタンスが同程度の大きさとなる。
【手続補正８】
【補正対象書類名】明細書
【補正対象項目名】０００７
【補正方法】変更
【補正の内容】
【０００７】
更に、特許文献２には、第１巻線と第２巻線の間に漏れ空隙がある同軸型の巻線配置が示されている。また、この巻線配置には、第２巻線を同軸に取り巻くよう漏れ空隙内に配された漏れ磁束案内シリンダと、巻線の一端に配されラジアル方向に延びる少なくとも１個の漏れ磁束案内ヨークと、が備わっている。この構成では、巻線同士が同一面内に並び、漏れ磁束が軸方向（２個の巻線の回転軸に対し平行な方向）に沿って案内される。
【手続補正９】
【補正対象書類名】明細書
【補正対象項目名】０００８
【補正方法】変更
【補正の内容】
【０００８】
更に、特許文献３では、少なくとも２個の主経路を有するチョーク用のコアが示されており、漏れ磁束を案内するための漏れ磁界案内部材が２個、渦電流損を抑えるべく設けられている。主磁束を案内するためのコアは２個のＥ字状部品で成り立っている。主磁束が通る経路上には、漏れ磁束が通る経路と同じく１個の空隙が設けられている。従って、主インダクタンスと漏れインダクタンスが同程度の大きさとなる。
【手続補正１０】
【補正対象書類名】明細書
【補正対象項目名】０００９
【補正方法】変更
【補正の内容】
【０００９】
特許文献３に係る構成では、渦電流損を低減するため、コアの外部から中央部に向かいパスコアが延ばされている。これらの部材の厳密な構成及びその磁気的な特性は示されていない。
【手続補正１１】
【補正対象書類名】明細書
【補正対象項目名】００１１
【補正方法】変更
【補正の内容】
【００１１】
更に、特許文献５には、蛍光灯用漏れ変圧器が示されている。この変圧器には、２個の巻線間にあり主磁気回路から２個の空隙によって分離されている漏れ磁界案内部材が備わっている。その漏れ磁界案内部材は積層素材で形成されており、磁気的方向についての記載を伴っていない。
【手続補正１２】
【補正対象書類名】明細書
【補正対象項目名】００１２
【補正方法】変更
【補正の内容】
【００１２】
更に、特許文献６に記載の車載変圧器には、シェル型のアイロンコアや、互いに磁気誘導的な関係となるようそのアイロンコア上に巻回された入力側巻線及び出力側巻線が備わっている。この変圧器には、更に、入力側巻線・出力側巻線間にある空隙付の磁性アセンブリのほか、磁気的に疎な結合が出力側巻線間に生じるよう出力側巻線間に配された第２磁性部材アセンブリが備わっている。その第２磁性部材アセンブリには、アイロンコアで取り巻かれた空間内に位置する空隙無し磁性部材や、その空隙無し磁性部材をアイロンコア及び巻線に対し絶縁支持する絶縁部材が備わっている。両磁性部材アセンブリは積層アイロンコアを伴っており、絶縁部材に埋め込まれているが、その磁気的方向についての記載を伴っていない。
【国際調査報告】
2014535172.tif 000014
2014535172.tif 000015
2014535172.tif 000016